(57)【要約】      （修正有）【課題】Webサイトへの広告の掲載が容易でWebサイトに提供されるサービスの目的に高効果的且つ高効率的に広告が合致しWebサイトの契約者にも収益が見込める。【解決手段】Webサイトへのリンク先URL自動挿入システムに、一般ユーザ端末104-1,2に掲載するためのテキスト内容を保持し、サービス提供を行うための複数の企業ユーザWebサイト102-1,2と、企業ユーザWebサイトに掲載されるテキスト内容にリンクを張るキーワードと、自身をリンク先として挿入すべきURLを保持し広告の配信を行うための複数の広告企業Webサイト103-1,2と、広告企業Webサイトのアクセスでキーワード、リンク先のURLを登録し、企業ユーザWebサイトに掲載されるテキスト内容に対して登録されているキーワードに合致する部分があるか否かを判断し、合致する部分にリンク先のURLを挿入するサービス事業者Ｗｅｂサイト101とを備える。【選択図】図１
2007213278.tif 000002
【特許請求の範囲】
【請求項１】
Ｗｅｂサイトへのリンク先ＵＲＬ自動挿入システムにおいて、
一般ユーザ端末に掲載するためのテキスト内容を保持し、テキスト内容には商品名、サービス名、商品、サービスの説明文などを含みサービス提供を行うための複数の企業ユーザＷｅｂサイトと、
前記企業ユーザＷｅｂサイトに掲載されるテキスト内容に含まれる商品名、サービス名、商品、サービスの説明文にリンクを張るキーワードと、自身をリンク先として挿入すべきＵＲＬを保持し広告の配信を行うための複数の広告企業Ｗｅｂサイトと、
前記企業ユーザＷｅｂサイトを構築する際にＷｅｂアプリケーションを提供し、前記広告企業Ｗｅｂサイトのアクセスで前記キーワード、リンク先の前記ＵＲＬを登録し、前記企業ユーザＷｅｂサイトに掲載されるテキスト内容に含まれる商品名、サービス名、商品、サービスの説明文に対して登録されている前記キーワードに合致する部分があるか否かを判断し、合致する部分にリンク先の前記ＵＲＬを挿入するサービス事業者Ｗｅｂサイトとを備えることを特徴とする、Ｗｅｂサイトへのリンク先ＵＲＬ自動挿入システム。
【請求項２】
前記サービス事業者Ｗｅｂサイトは、前記一般ユーザ端末のアクセスにより企業ユーザＷｅｂサイトの各々のテキスト文に対してリンク先のＵＲＬが挿入された部分がクリックされた場合、クリックされた年月日時、クリックされた企業ユーザＷｅｂサイト、クリックにより広告が掲載された広告企業Ｗｅｂサイトの情報を保持し、一定期間にわたって前記広告企業Ｗｅｂサイトに対するクリック数、前記企業ユーザＷｅｂサイトに対するクリック数を保存することを特徴とする、請求項１に記載のＷｅｂサイトへのリンク先ＵＲＬ自動挿入システム。
【請求項３】
前記広告企業サイトは、前記企業ユーザＷｅｂサイトに掲載されるテキスト内容について自身をリンク先として挿入すべきＵＲＬに対して商品名、サービス名、商品、サービスの説明文にリンクを張るキーワードを複数保持し、前記サービス事業者Ｗｅｂサイトに登録することを特徴とする、請求項１に記載のＷｅｂサイトへのリンク先ＵＲＬ自動挿入システム。
【請求項４】
前記企業ユーザＷｅｂサイトは広告企業Ｗｅｂサイトとして他の企業ユーザＷｅｂサイトに掲載されるテキスト内容に含まれる商品名、サービス名、商品、サービスの説明文にリンクを張るキーワードと、自身をリンク先として挿入すべきＵＲＬを前記サービス事業者Ｗｅｂサイトに登録することを特徴とする、請求項１に記載のＷｅｂサイトへのリンク先ＵＲＬ自動挿入システム。
【請求項５】
前記サービス事業者Ｗｅｂサイトは、前記企業ユーザＷｅｂサイトから前記一般ユーザ端末に送信するＨＴＭＬのＥメールに対して、前記Ｅメールのテキスト文に含まれる商品名、サービス名、商品、サービスの説明文に対して登録されている前記キーワードに合致する部分があるか否かを判断し、合致する部分にリンク先の前記ＵＲＬを挿入することを特徴とする、請求項１に記載のＷｅｂサイトへのリンク先ＵＲＬ自動挿入システム。
【請求項６】
Ｗｅｂサイトへのリンク先ＵＲＬ自動挿入方法において、
サービス事業者Ｗｅｂサイトから提供されるＷｅｂアプリケーションを利用して企業ユーザＷｅｂサイトを構築する工程と、
広告配信のため、企業ユーザＷｅｂサイトに掲載されるテキスト内容に含まれる商品名、サービス名、商品、サービスの説明文にリンクを張るキーワードと、自身をリンク先として挿入すべきＵＲＬを広告企業Ｗｅｂサイトに保持する工程と、
前記広告企業Ｗｅｂサイトから前記サービス事業者Ｗｅｂサイトへのアクセスで前記キーワード、リンク先の前記ＵＲＬを登録する工程と、
前記企業ユーザＷｅｂサイトに掲載される商品、サービスの説明文に対して登録されている前記キーワードに合致する部分があるか否かを判断する工程と、
合致する部分にリンク先の前記ＵＲＬを挿入する工程とを備えることを特徴とする、Ｗｅｂサイトへのリンク先ＵＲＬ自動挿入方法。
【請求項７】
Ｗｅｂサイトへのリンク先ＵＲＬ自動挿入をコンピュータで実行するプログラムにおいて、
サービス事業者Ｗｅｂサイトから提供されるＷｅｂアプリケーションを利用して企業ユーザＷｅｂサイトを構築する手順と、
広告配信のため、企業ユーザＷｅｂサイトに掲載されるテキスト内容に含まれる商品名、サービス名、商品、サービスの説明文にリンクを張るキーワードと、自身をリンク先として挿入すべきＵＲＬを広告企業Ｗｅｂサイトに保持する手順と、
前記広告企業Ｗｅｂサイトから前記サービス事業者Ｗｅｂサイトへのアクセスで前記キーワード、リンク先の前記ＵＲＬを登録する手順と、
前記企業ユーザＷｅｂサイトに掲載される商品、サービスの説明文に対して登録されている前記キーワードに合致する部分があるか否かを判断する手順と、
合致する部分にリンク先の前記ＵＲＬを挿入する手順とを備えることを特徴とする、Ｗｅｂサイトへのリンク先ＵＲＬ自動挿入をコンピュータで実行するプログラム。
【請求項８】
Ｗｅｂアプリケーションを提供して構築させた企業ユーザＷｅｂサイトに対してリンク先ＵＲＬ自動挿入を行うサービス事業者Ｗｅｂサイトにおいて、
企業ユーザＷｅｂサイトに掲載されるテキスト内容に含まれる商品名、サービス名、商品、サービスの説明文にリンクを張るキーワードと、自身をリンク先として挿入すべきＵＲＬを保持し広告の配信を行う広告企業Ｗｅｂサイトのアクセスで前記キーワード、リンク先の前記ＵＲＬを登録するキーワード登録部と、
前記企業ユーザＷｅｂサイトに掲載されるテキスト内容に含まれる商品名、サービス名、商品、サービスの説明文に対して前記キーワード登録部に登録されている前記キーワードに合致する部分があるか否かを判断する合致判断部と、
前記合致判断部により合致すると判断した部分にリンク先の前記ＵＲＬを挿入するＵＲＬ挿入部と、
前記一般ユーザ端末のアクセスにより企業ユーザＷｅｂサイトの各々のテキスト文に対してリンク先のＵＲＬが挿入された部分がクリックされた場合、クリックされた年月日時、クリックされた企業ユーザＷｅｂサイト、クリックにより広告が掲載された広告企業Ｗｅｂサイトの情報を保持し、一定期間にわたって前記広告企業Ｗｅｂサイトに対するクリック数、前記企業ユーザＷｅｂサイトに対するクリック数を保存するキーワードクリック保持部とを備えることを特徴とするサービス事業者Ｗｅｂサイト。
【発明の詳細な説明】
【技術分野】
【０００１】
本発明はＷｅｂサイトを構築するサービス事業者サイトに関する。特に、本発明は、Ｗｅｂサイトに広告を掲載するためリンク先ＵＲＬを自動的に挿入するシステム、方法、プログラム及びサービス事業者サイトに関する。
【背景技術】
【０００２】
通常、サービス事業者サイトで構築されたＷｅｂサイトへの広告掲載が一般ユーザの入力したキーワード、登録した顧客属性、例えば、趣味、興味を自動判別して行われることは周知である。
しかしながら、Ｗｅｂサイトに広告を掲載するには一般のユーザのキーワードの入力、顧客属性の登録等の手間が必要であり、煩雑であるという問題がある。
【０００３】
さらに、Ｗｅｂサイトに掲載される広告がＷｅｂサイトに提供されるサービスの目的に高効果的に且つ高効率的に合致しないという問題がある。
さらに、サービス事業者サイトは広告収入を得ることが可能であるが、Ｗｅｂサイトの契約者はサービス事業者に利用料を支払うことのみであり、Ｗｅｂサービスを活用することにより得られる直接的な収益しか見込めなかったという問題がある。
【０００４】
このような問題に関連して、Ｗｅｂサイトに広告を掲載するものに以下の従来の例がある。
従来、インターネット上のポータルサイトなどにおいて、Ｗｅｂページに広告バナーを表示するに際して、訪問者の個人情報を収集することなく広告バナーのクリック率を上げることができるようにすることを目的とし、単一の広告バナーとともに、その周辺に広告メニューとして他のスポンサーの業種名または商品などを表すキーワードをテキストや画像などで表示し、ユーザが、それをクリックしたときに、広告バナーを、該当するスポンサーの広告バナーに入れ替え、広告バナーを入れ替えたときは、広告メニューも適宜入れ替えるものがある（例えば、特許文献１参照）。
【０００５】
しかしながら、上記特許文献１では、Ｗｅｂページに広告バナーを表示するに際して、訪問者の個人情報を収集することなく広告バナーのクリック率を上げるが、Ｗｅｂサイトに掲載される広告がＷｅｂサイトに提供されるサービスの目的に高効果的に且つ高効率的に合致するようにしたものではない。
また、従来、特定の団体組織等の公式サイトを探し出す困難性を要せず、当該団体組織の地図上の対応該当地なども直ちに閲覧することが可能で、端末に固有のプログラムを組み込むことなく、インターネットにおけるユーザーの端末に対し、全てに同一の利便性を与えることのできる情報処理システムを提供するため、格納手段は、予め登録されたキーワードと、このキーワード情報に対応するリンク先のＵＲＬ情報とを格納し、取得手段は、ユーザー端末からのＨＴＴＰリクエストに基づいて、ターゲットサーバーのＨＴＭＬ情報ファイルの取得を行ない、リンク化処理手段は、取得されたＨＴＭＬファイルの中から、前記格納手段の前記キーワードを検索し、該当する該当キーワードがある場合には、対応する前記ＵＲＬ情報と前記キーワードとをリンク化を行なうタグとともに前記該当キーワードのある箇所に書き込みを行ない、表示処理手段は、リンク化されたＨＴＭＬファイルをユーザー端末に対して送信するものがある（例えば、特許文献２参照）。
【０００６】
しかしながら、上記特許文献２では、ＨＴＭＬファイルの中からキーワードを検索し、該当キーワードがある場合には、対応するＵＲＬ情報とキーワードとのリンク化を行なうが、Ｗｅｂサイトに掲載される広告がＷｅｂサイトに提供されるサービスの目的に高効果的に且つ高効率的に合致するようにしたものではない。
さらに、従来、ウェブサイトの内容に関連した広告リンクが張られることによって、広告リンクからの広告閲覧の広告効果を高めるため、コンテンツ登録手段は、他者が管理するウェブサイトに、広告リンクを張り付けたい広告主の広告コンテンツをコンテンツ登録に登録する。ウェブサイト検索手段は、広告コンテンツに含まれる広告商品又は広告サービスに関するキーワードを有するウェブサイトを検索し、リンク依頼送信手段は、検索されたウェブサイトの管理者に広告リンクの張り付け依頼情報を送信し、リンク情報送信手段は、広告コンテンツにアクセスするための広告リンク情報を管理者に送信し、管理者は、管理するウェブサイトに広告リンクを張り付けるものがある（例えば、特許文献３参照）。
【０００７】
しかしながら、上記特許文献３では、広告コンテンツに含まれる広告商品又は広告サービスに関するキーワードを有するウェブサイトを検索し、検索されたウェブサイトの管理者に広告リンクの張り付け依頼情報を送信するが、Ｗｅｂサイドに広告を掲載するには、広告リンクの張り付け依頼情報の送信の手間が必要であり、煩雑であるという問題がある。
【０００８】
【特許文献１】特開２００２−２２２３５６号公報
【特許文献２】特開２００３−１０８４２５号公報
【特許文献３】特開２００３−３３０３９８号公報
【発明の開示】
【発明が解決しようとする課題】
【０００９】
したがって、本発明は上記問題点に鑑みて、Ｗｅｂサイトへの広告の掲載が煩雑でなく、Ｗｅｂサイトに提供されるサービスの目的に高効果的に且つ高効率的に広告が合致し、Ｗｅｂサイトの契約者にも収益を見込めるＷｅｂサイトへのリンク先ＵＲＬ自動挿入システム、方法、プログラム及びサービス事業者サイトを提供することを目的とする。
【課題を解決するための手段】
【００１０】
本発明は前記問題点を解決するために、Ｗｅｂサイトへのリンク先ＵＲＬ自動挿入システムにおいて、一般ユーザ端末に掲載するためのテキスト内容を保持し、テキスト内容には商品名、サービス名、商品、サービスの説明文などを含みサービス提供を行うための複数の企業ユーザＷｅｂサイトと、前記企業ユーザＷｅｂサイトに掲載されるテキスト内容に含まれる商品名、サービス名、商品、サービスの説明文にリンクを張るキーワードと、自身をリンク先として挿入すべきＵＲＬを保持し広告の配信を行うための複数の広告企業Ｗｅｂサイトと、前記企業ユーザＷｅｂサイトを構築する際にＷｅｂアプリケーションを提供し、前記広告企業Ｗｅｂサイトのアクセスで前記キーワード、リンク先の前記ＵＲＬを登録し、前記企業ユーザＷｅｂサイトに掲載されるテキスト内容に含まれる商品名、サービス名、商品、サービスの説明文に対して登録されている前記キーワードに合致する部分があるか否かを判断し、合致する部分にリンク先の前記ＵＲＬを挿入するサービス事業者Ｗｅｂサイトとを備えることを特徴とする、Ｗｅｂサイトへのリンク先ＵＲＬ自動挿入システムを提供する。
【００１１】
さらに、前記サービス事業者Ｗｅｂサイトは、前記一般ユーザ端末のアクセスにより企業ユーザＷｅｂサイトの各々のテキスト文に対してリンク先のＵＲＬが挿入された部分がクリックされた場合、クリックされた年月日時、クリックされた企業ユーザＷｅｂサイト、クリックにより広告が掲載された広告企業Ｗｅｂサイトの情報を保持し、一定期間にわたって前記広告企業Ｗｅｂサイトに対するクリック数、前記企業ユーザＷｅｂサイトに対するクリック数を保存する。
【００１２】
さらに、前記広告企業サイトは、前記企業ユーザＷｅｂサイトに掲載されるテキスト内容について自身をリンク先として挿入すべきＵＲＬに対して商品名、サービス名、商品、サービスの説明文にリンクを張るキーワードを複数保持し、前記サービス事業者Ｗｅｂサイトに登録する。
さらに、前記企業ユーザＷｅｂサイトは広告企業Ｗｅｂサイトとして他の企業ユーザＷｅｂサイトに掲載されるテキスト内容に含まれる商品名、サービス名、商品、サービスの説明文にリンクを張るキーワードと、自身をリンク先として挿入すべきＵＲＬを前記サービス事業者Ｗｅｂサイトに登録する。
【００１３】
さらに、前記サービス事業者Ｗｅｂサイトは、前記企業ユーザＷｅｂサイトから前記一般ユーザ端末に送信するＨＴＭＬのＥメールに対して、前記Ｅメールのテキスト文に含まれる商品名、サービス名、商品、サービスの説明文に対して登録されている前記キーワードに合致する部分があるか否かを判断し、合致する部分にリンク先の前記ＵＲＬを挿入する。
【００１４】
さらに、本発明は、Ｗｅｂサイトへのリンク先ＵＲＬ自動挿入方法において、サービス事業者Ｗｅｂサイトから提供されるＷｅｂアプリケーションを利用して企業ユーザＷｅｂサイトを構築する工程と、広告配信のため、企業ユーザＷｅｂサイトに掲載されるテキスト内容に含まれる商品名、サービス名、商品、サービスの説明文にリンクを張るキーワードと、自身をリンク先として挿入すべきＵＲＬを広告企業Ｗｅｂサイトに保持する工程と、前記広告企業Ｗｅｂサイトから前記サービス事業者Ｗｅｂサイトへのアクセスで前記キーワード、リンク先の前記ＵＲＬを登録する工程と、前記企業ユーザＷｅｂサイトに掲載される商品、サービスの説明文に対して登録されている前記キーワードに合致する部分があるか否かを判断する工程と、合致する部分にリンク先の前記ＵＲＬを挿入する工程とを備えることを特徴とする、Ｗｅｂサイトへのリンク先ＵＲＬ自動挿入方法を提供する。
【００１５】
さらに、本発明は、Ｗｅｂサイトへのリンク先ＵＲＬ自動挿入をコンピュータで実行するプログラムにおいて、サービス事業者Ｗｅｂサイトから提供されるＷｅｂアプリケーションを利用して企業ユーザＷｅｂサイトを構築する手順と、広告配信のため、企業ユーザＷｅｂサイトに掲載されるテキスト内容に含まれる商品名、サービス名、商品、サービスの説明文にリンクを張るキーワードと、自身をリンク先として挿入すべきＵＲＬを広告企業Ｗｅｂサイトに保持する手順と、前記広告企業Ｗｅｂサイトから前記サービス事業者Ｗｅｂサイトへのアクセスで前記キーワード、リンク先の前記ＵＲＬを登録する手順と、前記企業ユーザＷｅｂサイトに掲載される商品、サービスの説明文に対して登録されている前記キーワードに合致する部分があるか否かを判断する手順と、合致する部分にリンク先の前記ＵＲＬを挿入する手順とを備えることを特徴とする、Ｗｅｂサイトへのリンク先ＵＲＬ自動挿入をコンピュータで実行するプログラムを提供する。
【００１６】
さらに、本発明は、Ｗｅｂアプリケーションを提供して構築させた企業ユーザＷｅｂサイトに対してリンク先ＵＲＬ自動挿入を行うサービス事業者Ｗｅｂサイトにおいて、企業ユーザＷｅｂサイトに掲載されるテキスト内容に含まれる商品名、サービス名、商品、サービスの説明文にリンクを張るキーワードと、自身をリンク先として挿入すべきＵＲＬを保持し広告の配信を行う広告企業Ｗｅｂサイトのアクセスで前記キーワード、リンク先の前記ＵＲＬを登録するキーワード登録部と、前記企業ユーザＷｅｂサイトに掲載されるテキスト内容に含まれる商品名、サービス名、商品、サービスの説明文に対して前記キーワード登録部に登録されている前記キーワードに合致する部分があるか否かを判断する合致判断部と、前記合致判断部により合致すると判断した部分にリンク先の前記ＵＲＬを挿入するＵＲＬ挿入部と、前記一般ユーザ端末のアクセスにより企業ユーザＷｅｂサイトの各々のテキスト文に対してリンク先のＵＲＬが挿入された部分がクリックされた場合、クリックされた年月日時、クリックされた企業ユーザＷｅｂサイト、クリックにより広告が掲載された広告企業Ｗｅｂサイトの情報を保持し、一定期間にわたって前記広告企業Ｗｅｂサイトに対するクリック数、前記企業ユーザＷｅｂサイトに対するクリック数を保存するキーワードクリック保持部とを備えることを特徴とするサービス事業者Ｗｅｂサイトを提供する。
【発明の効果】
【００１７】
以上説明したように、本発明によれば、サービス事業者Ｗｅｂサイトから提供されるＷｅｂアプリケーションを利用して企業ユーザＷｅｂサイトを構築し、広告配信のため、企業ユーザＷｅｂサイトに掲載されるテキスト内容に含まれる商品名、サービス名、商品、サービスの説明文にリンクを張るキーワードと、自身をリンク先として挿入すべきＵＲＬを広告企業Ｗｅｂサイトに保持し、広告企業Ｗｅｂサイトからサービス事業者Ｗｅｂサイトへのアクセスでキーワード、リンク先のＵＲＬを登録し、企業ユーザＷｅｂサイトに掲載される商品、サービスの説明文に対して登録されているキーワードに合致する部分があるか否かを判断し、合致する部分にリンク先のＵＲＬを挿入するようにしたので、Ｗｅｂサイトに掲載される広告がＷｅｂサイトに提供されるサービスの目的に高効果的に且つ高効率的に合致することが可能になり、Ｗｅｂサイトに広告を掲載するに際し一般のユーザのキーワードの入力、顧客属性の登録等が不要となり、広告企業の手間を省略することが可能となり、Ｗｅｂサイトへの広告の掲載が容易になった。
【００１８】
さらに、サービス事業者Ｗｅｂサイトは、一般ユーザ端末のアクセスにより企業ユーザＷｅｂサイトの各々のテキスト文に対してリンク先のＵＲＬが挿入された部分がクリックされた場合、クリックされた年月日時、クリックされた企業ユーザＷｅｂサイト、クリックにより広告が掲載された広告企業Ｗｅｂサイトの情報を保持し、一定期間にわたって広告企業Ｗｅｂサイトに対するクリック数、企業ユーザＷｅｂサイトに対するクリック数を保存するようにしたので、Ｗｅｂサイトの契約者はサービス事業者に利用料を支払うことのみでなく、広告掲載手数料の収益を見込むことが可能になった。
【発明を実施するための最良の形態】
【００１９】
以下、本発明の実施の形態について図面を参照して説明する。
図１は本発明に係るＷｅｂサイトへのリンク先ＵＲＬ（Ｕｎｉｆｏｒｍ  Ｒｅｓｏｕｒｃｅ  Ｌｏｃａｔｏｒ）自動挿入システムの概略を示すネットワーク構成図である。本図に示すＷｅｂサイトへのリンク先ＵＲＬ（Ｕｎｉｆｏｒｍ  Ｒｅｓｏｕｒｃｅ  Ｌｏｃａｔｏｒ）自動挿入システム１００はプログラム制御で動作を行い、Ｗｅｂサイトに広告を掲載するためリンク先ＵＲＬを自動的に挿入する。
【００２０】
Ｗｅｂサイトへのリンク先ＵＲＬ自動挿入システムでは、サービス事業者Ｗｅｂサイト１０１、複数の企業ユーザＷｅｂサイト１０２−１、１０２−２、…複数の広告企業Ｗｅｂサイト１０３−１、１０３−２、…、複数の一般ユーザ端末１０４−１、１０４−２、…がインターネット１１０に接続される。
ここに、サービス事業者Ｗｅｂサイト１０１は、コーポレートサイトなどの静的なＷｅｂサイト、予約、コマースサイトなどの動的なＷｅｂサイトを構築するため、サービス事業者が自社サービスとしてＷｅｂアプリケーションのサービスを企業ユーザＷｅｂサイト１０２−１、１０２−２に提供するＷｅｂサイトである。
【００２１】
企業ユーザＷｅｂサイト１０２−１、１０２−２の各々は、企業ユーザがサービス事業者のＷｅｂアプリケーションを利用することにより構築され、一般ユーザ端末１０４−１、１０４−２に掲載するテキスト内容を保持し、テキスト内容には予約、コマースの対象となる商品名、サービス名、商品、サービスの説明文などを含むＷｅｂサイトである。
ここに、企業ユーザは、サービス事業者の契約者、例えば、自動車教習所、自動車販売業者、医院、店舗などである。
【００２２】
以降の説明では、企業ユーザＷｅｂサイト１０２−１に対して企業ユーザが自動車教習所を経営している場合、教習予約のＷｅｂサイトが構築されるとする。
同様に、以降の説明では、企業ユーザＷｅｂサイト１０２−２に対して企業ユーザが自動車販売業者を経営している場合、自動車見学、試乗の予約を受け付けるためのＷｅｂサイトが構築されるとする。
【００２３】
広告企業Ｗｅｂサイト１０３−１、１０３−２の各々は、広告代理店の広告企業者が所有し、広告のコンテンツを保持し、企業ユーザＷｅｂサイト１０２−１、１０２−２に掲載されるテキスト内容に含まれる予約、コマースの対象となる商品名、サービス名、商品、サービスの説明文にリンクを張るキーワードと、広告を配信するために自身をリンク先として挿入すべきＵＲＬを保持するＷｅｂサイトである。
【００２４】
さらに、広告企業Ｗｅｂサイト１０３−１、１０３−２の各々はパーソナルコンピュータ（ＰＣ）用、モバイル端末用のＵＲＬを有し、パーソナルコンピュータ（ＰＣ）、モバイル端末からのアクセスを可能とし、広告を掲載したいユーザ属性などを設定する機能も有する。また、広告企業Ｗｅｂサイト１０３−１、１０３−２の各々は、必ずしもサービス事業者のＷｅｂアプリケーションを利用して構築したＷｅｂサイトでなくてもよい。
【００２５】
ここに、広告企業はブックストア、保険会社などであり、以降の説明では、広告企業Ｗｅｂサイト１０３−１はブックストアの広告企業が有するＷｅｂサイトであり、広告企業Ｗｅｂサイト１０３−２は保険会社の広告企業が有するＷｅｂサイトであるとする。
一般ユーザ端末１０４−１、１０４−２の各々はパーソナルコンピュータ（ＰＣ）、モバイル端末を含む端末であり、ＵＲＬを指定して企業ユーザＷｅｂサイト１０２−１、１０２−２の各々に対する閲覧を行い、予約、コマースなどのＷｅｂサービスを受けることができる。さらに、一般ユーザ端末１０４−１、１０４−２の各々は、一般ユーザが企業ユーザＷｅｂサイト１０２−１、１０２−２の各々について縦覧しているテキスト文にリンクの張られた部分をクリックすることにより、広告企業Ｗｅｂサイト１０３−１、１０３−２の各々からの広告の配信サービスを受けることができる。
【００２６】
さらに、サービス事業者Ｗｅｂサイト１０１にはＵＲＬ自動挿入部１０１Ａが設けられ、ＵＲＬ自動挿入部１０１Ａは、サービス事業者の契約者が構築したＷｅｂサイトに掲載されるテキスト文に対してキーワードを自動判別し、広告代理店などの広告企業Ｗｅｂサイト１０３−１、１０３−２のリンク先ＵＲＬを自動挿入し、広告掲載を可能にする。
さらに、ＵＲＬ自動挿入部１０１Ａでは、一般ユーザ端末１０４−１、１０４−２からのクリック情報に基づいて、サービス事業者Ｗｅｂサイト１０１のサービス事業者がサービスの提供料として企業ユーザＷｅｂサイト１０２−１、１０２−２の企業ユーザから料金を徴収するとことに加えて、広告企業Ｗｅｂサイト１０３−１、１０３−２の広告企業から広告掲載料を徴収することを可能にし、さらに、企業ユーザＷｅｂサイト１０２−１、１０２−２の企業ユーザが広告をＷｅｂサイトに掲載することにより、サービス事業者から広告掲載手数料を得ることを可能にする。
【００２７】
図２は図１におけるサービス事業者Ｗｅｂサイト１０１のＵＲＬ自動挿入部１０１Ａの概略構成を示すブロック図である。本図に示すように、ＵＲＬ自動挿入部１０１Ａにはキーワード登録部２０１、合致判断部２０２、ＵＲＬ挿入部２０３、キーワードクリック保持部２０４が設けられる。
ここに、キーワード登録部２０１は、サービス事業者Ｗｅｂサイト１０１のデータベースであり、広告企業Ｗｅｂサイト１０３−１、１０３−２の各々が、インターネット１１０を介して、サービス事業者Ｗｅｂサイト１０１にアクセスした際に、広告企業Ｗｅｂサイト１０３−１、１０３−２の各々の広告のキーワードとＵＲＬを登録する。
【００２８】
さらに、合致判断部２０２は企業ユーザＷｅｂサイト１０２−１、１０２−２に掲載されるテキスト内容に含まれる予約、コマースの対象となる商品名、サービス名、商品、サービスの説明文に対してキーワード登録部２０１に登録されているキーワードに合致するものがあるか否かを判断する。
ＵＲＬ挿入部２０３は合致判断部２０２から合致するとの情報を得た場合にキーワード登録部２０１から該当するキーワードに対するＵＲＬを取り出し、企業ユーザＷｅｂサイト１０２−１、１０２−２に掲載されるテキスト内容の商品名、サービス名、商品、サービスの説明であって、合致したキーワードに対応する部分にＵＲＬを挿入する。
【００２９】
さらに、キーワードクリック保持部２０４は、企業ユーザＷｅｂサイト１０２−１、１０２−２の各々からリンク先の情報を保持し、クリックレート、ユーザエージェントなどの計測データを保持する。
図３は図１における広告企業Ｗｅｂサイト１０３−１、１０３−２が保持するキーワード、ＵＲＬ等の例を示す図である。本図（ａ）に示すように、ブックストアの広告代理店の広告企業である広告企業Ｗｅｂサイト１０３−１に、自動車関連のブックのうち広告対象として掲載したい仮免許関連のブックに対して、キーワードとして「仮免許取得」、ＵＲＬとして、「ＵＲＬ１」が保持される。
【００３０】
なお、キーワードとして「仮免許取得」の他に「仮免許」のように複数のキーワードが保持されるようにしてもよい。ＵＲＬの挿入を容易にするためである。
さらに、保険会社の広告代理店の広告企業である広告企業Ｗｅｂサイト１０３−２に、保険のうち広告対象として掲載したい自動車関連の保険に対して、キーワードとして「自動車保険」、ＵＲＬとして「ＵＲＬ２」が保持される。
【００３１】
なお、キーワードとして「自動車保険」の他に「乗用車保険」、「トラック保険」、「オートバイ保険」のように複数のキーワードが保持されるようにしてもよい。上記と同様に、ＵＲＬの挿入を容易にするためである。
図４は図２におけるＵＲＬ自動挿入部１０１Ａのキーワード登録部２０１の概略を説明する図である。本図に示すように、広告企業Ｗｅｂサイト１０３−１、１０３−２の各々がサービス事業者Ｗｅｂサイト１０１にアクセスすることにより、ＵＲＬ自動挿入部１０１Ａのキーワード登録部２０１にキーワード、ＵＲＬ、広告企業Ｗｅｂサイトの登録が行われる。
【００３２】
キーワード登録部２０１には、例えば、ブックストアの広告代理店の広告企業の広告企業Ｗｅｂサイト１０３−１のアクセスに対して、自動車関係のブックのうち仮免許関係のブックを掲載するために、キーワードには「仮免許取得」、ＵＲＬには「ＵＲＬ１」、広告企業Ｗｅｂサイトには「広告企業Ｗｅｂサイト１０３−１」が登録される。
なお、キーワードには「仮免許取得」の他に「仮免許」のキーワードのように複数が登録されてもよい。
【００３３】
さらに、キーワード登録部２０１には、例えば、保険会社の広告代理店の広告企業の広告企業Ｗｅｂサイト１０３−２のアクセスに対して、保険のうち自動車関連の保険を掲載するために、キーワードには「自動車保険」、ＵＲＬには「ＵＲＬ２」、広告企業Ｗｅｂサイトには「広告企業Ｗｅｂサイト１０３−２」が登録される。
なお、キーワードには「自動車保険」の他に「乗用車保険」、「トラック保険」、「オートバイ保険」のキーワードのように複数が登録されてもよい。
【００３４】
図５は図２におけるＵＲＬ自動挿入部１０１Ａのキーワードクリック保持部２０４の概略を説明する図である。本図（ａ）に示すように、キーワードクリック保持部２０４は、一般ユーザ端末１０４−１、１０４−２の各々により企業ユーザＷｅｂサイト１０２−１、１０２−２の各々のテキスト文に対してリンク先のＵＲＬが挿入された部分がクリックされた場合、クリックされた年月日時、クリックされた企業ユーザＷｅｂサイト、クリックにより広告が掲載された広告企業Ｗｅｂサイトの情報が保持される。
【００３５】
例えば、キーワードクリック保持部２０４に、年月日時として「○○○○」、企業ユーザＷｅｂサイトとして「企業ユーザＷｅｂサイト１０２−１」、広告企業Ｗｅｂサイトとして「広告企業Ｗｅｂサイト１０３−１」が保持される。この場合、年月日時「○○○○」のクリックで企業ユーザＷｅｂサイト１０２−１に対して広告企業Ｗｅｂサイト１０３−１から広告が掲載されたことを意味する。
【００３６】
同様に、キーワードクリック保持部２０４に、年月日時として「△△△△」、企業ユーザＷｅｂサイトとして「企業ユーザＷｅｂサイト１０２−２」、広告企業Ｗｅｂサイトとして「広告企業Ｗｅｂサイト１０３−２」が保持される。この場合、年月日時「△△△△」のクリックで企業ユーザＷｅｂサイト１０２−２に対して広告企業Ｗｅｂサイト１０３−２から広告が掲載されたことを意味する。以下同様である。
【００３７】
さらに、本図（ｂ）に示すように、キーワードクリック保持部２０４は、広告企業Ｗｅｂサイトとクリック数の関係を保持する。
例えば、一定期間にわたって広告企業Ｗｅｂサイト１０３−１に対してクリック数ｎ１が保持されている場合には、広告企業Ｗｅｂサイト１０３−１からｎ１回の広告が掲載されたことを意味する。
【００３８】
さらに、一定期間にわたって広告企業Ｗｅｂサイト１０３−２に対してクリック数ｎ２が保持されている場合には、広告企業Ｗｅｂサイト１０３−２からｎ２回の広告が掲載されたことを意味する。以下同様である。
さらに、本図（ｃ）に示すように、キーワードクリック保持部２０４は、企業ユーザＷｅｂサイトとクリック数の関係を保持する。
【００３９】
例えば、一定期間にわたって企業ユーザＷｅｂサイト１０２−１に対してクリック数ｍ１が保持されている場合には、企業ユーザＷｅｂサイト１０２−１にｍ１回の広告が掲載されたことを意味する。
さらに、一定期間にわたって企業ユーザＷｅｂサイト１０２−２に対してクリック数ｍ２が保持されている場合には、企業ユーザＷｅｂサイト１０２−２にｍ２回の広告が掲載されたことを意味する。以下同様である。
【００４０】
図６は図２におけるＵＲＬ自動挿入部１０１Ａへのキーワード登録動作例を説明するフローチャートである。本図に示すように、ステップＳ３０１において、広告企業Ｗｅｂサイトがサービス事業者Ｗｅｂサイト１０１にアクセスしたか否かを判断する。アクセスがない場合には処理を終了する。
ステップＳ３０２において、アクセスがあった場合、キーワード、ＵＲＬ、広告企業Ｗｅｂサイトの情報をキーワード登録部２０１に登録し、ステップＳ３０１に戻り、上記処理を繰り返す。
【００４１】
なお、新規のアクセスに対してはその都度登録を行い、登録解除がある場合にはその都度登録の削除を行う。
図７は図２におけるＵＲＬ自動挿入部１０１ＡのＵＲＬ挿入動作例を説明するフローチャートである。本図に示すように、ステップＳ３１１において、序数Ｋ＝１を設定する。
ステップＳ３１２において、序数Ｊ＝１を設定する。
【００４２】
ステップＳ３１３において、キーワード登録部２０１に登録されたキーワードＫが企業ユーザＷｅｂサイト１０２−Ｊのテキスト文に合致する部分があるか否かを判断する。合致する部分がない場合にはステップＳ３１５に進む。
ステップＳ３１４において、合致する部分がある場合には、テキスト文の合致する部分にキーワードＫのＵＲＬを挿入しリンクを張る。
【００４３】
ステップＳ３１５において、Ｋ＝Ｋ＋１とする。
ステップＳ３１６において、Ｋ＝Ｎが成立するか否か、すなわち、１つの企業ユーザＷｅｂサイトについてキーワード登録部２０１に登録した全てのキーワードに対して合致判断を行ったか否かを判断する。上記判断が成立しない場合にはステップＳ３１３に戻り上記処理を繰り返す。
【００４４】
ステップＳ３１７において、上記判断が成立する場合にはＪ＝Ｊ＋１とする。
ステップＳ３１８において、Ｊ＝Ｍが成立するか否か、すなわち、複数の企業ユーザＷｅｂサイト１０２−１、１０２−２の全てについてキーワード登録部２０１に登録した全てのキーワードに対して合致判断を行ったか否かを判断する。上記判断が成立しない場合にはステップＳ３１３に戻り上記処理を繰り返す。上記判断が成立する場合には処理を終了する。
【００４５】
なお、新規の広告企業Ｗｅｂサイトのキーワードの登録がある場合にはその都度ＵＲＬ挿入動作を行い、登録解除がある場合にはその都度挿入ＵＲＬの削除を行う。
図８は図２におけるＵＲＬ自動挿入部１０１ＡのＵＲＬ挿入動作例を説明するフローチャートである。本図に示すように、ステップＳ３２１において、複数の一般ユーザ端末１０４−１、１０４−２の１つから閲覧された複数の企業ユーザＷｅｂサイト１０２−１、１０２−２の１つのテキスト文にＵＲＬを挿入した部分についてクリックがあるか否かを判断する。クリックがない場合には処理を終了する。
【００４６】
ステップＳ３２２において、クリックされた年月日時、企業ユーザＷｅｂサイト、広告企業Ｗｅｂサイトの情報を保持する。
ステップＳ３２３において、一定期間にわたって広告企業Ｗｅｂサイトのクリック数を集計する。
ステップＳ３２４において、一定期間にわたって企業ユーザＷｅｂサイトのクリック数を集計し、処理を終了する。
【００４７】
このようにして、サービス事業者から広告企業に対して、企業ユーザから広告企業に対して広告掲載手数料を徴収するためのデータを集計することが可能になる。
したがって、本発明によれば、Ｗｅｂサイトに掲載される広告がＷｅｂサイトに提供されるサービスの目的に高効果的に且つ高効率的に合致することが可能になった。
Ｗｅｂサイトの契約者はサービス事業者に利用料を支払うことのみでなく、広告掲載手数料の収益を見込むことが可能になった。
【００４８】
Ｗｅｂサイトに広告を掲載するに際し一般のユーザのキーワードの入力、顧客属性の登録等が不要となり、広告企業の手間を省略することが可能となる。
【実施例１】
【００４９】
以上の説明では、図１において、企業ユーザＷｅｂサイト１０２−１、１０２−２、…と広告企業Ｗｅｂサイト１０３−１、１０３−２、…とを区別したが、企業ユーザＷｅｂサイト１０２−１、１０２−２…の各々は広告企業Ｗｅｂサイト１０３−１、１０３−２…になることが可能である。
例えば、自動車販売会社の企業ユーザＷｅｂサイト１０２−３が広告企業Ｗｅｂサイトとして自動車販売の広告コンテンツを所有し、サービス事業者Ｗｅｂサイト１０１のＵＲＬ自動挿入部１０１Ａにおけるキーワード登録部２０１にキーワードとして「免許取得」、ＵＲＬ、広告企業Ｗｅｂサイトとしての企業ユーザＷｅｂサイト１０２−３を登録した場合、自動車教習所の企業ユーザＷｅｂサイト１０２−１のテキスト文の該当部分にＵＲＬが挿入され、リンクが張られる。
【００５０】
一般ユーザ端末１０４−１、１０４−２の各々が自動車教習所の企業ユーザＷｅｂサイト１０２−１に本免許試験の予約をするためにアクセスした際に、「免許取得」の部分がクリックされると、自動車販売会社の企業ユーザＷｅｂサイト１０２−３から一般ユーザ端末１０４−１、１０４−２の各々の閲覧に対して自動者販売の広告が掲載される。
このようにして、企業ユーザは広告企業の広告だけでなく企業ユーザの広告に対しても広告掲載料を徴収することが可能になり、これにより本発明の汎用性が増す。
【実施例２】
【００５１】
図１、２において、企業ユーザＷｅｂサイト１０２−１、１０２−２の各々から一般ユーザ端末１０４−１、１０４−２に送信されるＨＴＭＬ（Ｈｙｐｅｒｔｅｘｔ  Ｍａｒｋｕｐ  Ｌａｎｇｕａｇｅ）のＥメールに対して、サービス事業者Ｗｅｂサイト１０１のＵＲＬ自動挿入部１０１ＡからＥメールのテキスト文に該当する部分にＵＲＬ挿入が行われる。
このようにして、Ｅメールに対してもサービスの目的に高効果的に且つ高効率的に合致する広告掲載が可能になり、これにより本発明の汎用性がます。
【図面の簡単な説明】
【００５２】
【図１】本発明に係るＷｅｂサイトへのリンク先ＵＲＬ（Ｕｎｉｆｏｒｍ  Ｒｅｓｏｕｒｃｅ  Ｌｏｃａｔｏｒ）自動挿入システムの概略を示すネットワーク構成図である。
【図２】図１におけるサービス事業者Ｗｅｂサイト１０１のＵＲＬ自動挿入部１０１Ａの概略構成を示すブロック図である。
【図３】図１における広告企業Ｗｅｂサイト１０３−１、１０３−２が保持するキーワード、ＵＲＬ等の例を示す図である。
【図４】図２におけるＵＲＬ自動挿入部１０１Ａのキーワード登録部２０１の概略を説明する図である。
【図５】図２におけるＵＲＬ自動挿入部１０１Ａのキーワードクリック保持部２０４の概略を説明する図である。
【図６】図２におけるＵＲＬ自動挿入部１０１Ａへのキーワード登録動作例を説明するフローチャートである。
【図７】図２におけるＵＲＬ自動挿入部１０１ＡのＵＲＬ挿入動作例を説明するフローチャートである。
【図８】図２におけるＵＲＬ自動挿入部１０１ＡのＵＲＬ挿入動作例を説明するフローチャートである。
【符号の説明】
【００５３】
１００…Ｗｅｂサイトへのリンク先ＵＲＬ自動挿入システム
１０１…サービス事業者Ｗｅｂサイト
１０１Ａ…ＵＲＬ自動挿入部
１０２−１、１０２−２…企業ユーザＷｅｂサイト
１０３−１、１０３−２…広告企業Ｗｅｂサイト
１０４−１、１０４−２…一般ユーザ端末
１１０…インターネット
２０１…キーワード登録部
２０２…合致判断部
２０３…ＵＲＬ挿入部
２０４…キーワードクリック保持部
【図１】
2007213278.tif 000003
【図２】
2007213278.tif 000004
【図３】
2007213278.tif 000005
【図４】
2007213278.tif 000006
【図５】
2007213278.tif 000007
【図６】
2007213278.tif 000008
【図７】
2007213278.tif 000009
【図８】
2007213278.tif 000010